(57)【特許請求の範囲】
【請求項１】
断熱箱体の開口部に一側がヒンジで結合されて他側が開閉される開閉扉を備え、この開閉扉の内面周囲に断熱箱体側の戸当たり部に当接するパッキンを備え、このパッキンを圧縮変形させて開閉扉を閉じる構成とした貯蔵庫の扉密閉構造において、
前記パッキンが塩化ビニル樹脂製の中空部材からなり、
この中空部材の一部にほかの部分よりも戸当たり側への突出高さの低い部分で囲まれた略円柱状の空間を形成し、
この空間に略円柱状の発泡ゴムを密に設けたことを特徴とする貯蔵庫の扉密閉構造。
【発明の詳細な説明】
【０００１】
【発明の属する技術分野】
本発明は、パッキンを圧縮変形させて開閉扉を閉じる貯蔵庫の扉密閉構造に関する。
【０００２】
【従来の技術】
一般に、コールドロールボックスやコンテナ等の物流用貯蔵庫では、輸送中の定温輸送を実現するために、高い密閉構造が要求される。特に開閉扉のシール性ではパッキンの役割が大きく、庫内の気密性確保及び輸送中の扉の開放防止のため、開閉扉を閉めた後、更にラッチによってパッキンを圧着して密閉する扉密閉構造が採用されている。この種の扉密閉構造を採用した開閉扉のパッキンは、開閉扉が閉じられたときに貯蔵庫本体の戸当たり部にラッチにより圧着されるため、高い弾性が要求される。
【０００３】
図３は従来の貯蔵庫の開閉扉の内面周囲の断面を示す。符号５１は開閉扉を示し、この開閉扉５１は面材５２を備え、この面材５２内には発泡断熱材５３が充填される。また、開閉扉５１には庫内５４の冷熱が面材５２を介して庫外に伝達しないように熱切りを行うブレーカ５５が取り付けられ、このブレーカ５５には係合凹部５６が形成され、この係合凹部５６にパッキン５７の係合凸部５８が挿入されて係合され、パッキン５７が開閉扉５１に固定される。
【０００４】
パッキン５６は、塩化ビニル樹脂製の中空部材５９からなり、この中空部材５９には略円弧形状の突出壁６０が２個形成され、この突出壁６０は、開閉扉５１を閉めると、貯蔵庫本体の戸当たり部６１に押圧されて圧縮変形し、庫内５４の気密性が確保される。
【０００５】
【発明が解決しようとする課題】
しかしながら、上述した開閉扉５１の塩化ビニル樹脂製のパッキン５７は、材料の特性と中空構造により、経年変化が生じやすく、弾性反力が低下して、パッキン５６の気密性が低下するという問題がある。
【０００６】
この塩化ビニル樹脂製のパッキン５７の欠点を克服するために、高い弾性を有する発泡ゴムで形成されたパッキンが提案されている。
【０００７】
しかしながら、発泡ゴムは複雑な形状の成形が困難であり、例えば開閉扉の固定部に対して着脱を容易にするための着脱構造の成形が不可能であり、手間のかかるビス止め等により開閉扉に固定しなければならないので、発泡ゴムで形成されたパッキンは容易に交換できないという問題を生じる。
【０００８】
そこで、本発明の目的は、上述した従来の技術が有する課題を解消し、交換が容易で長期に渡って気密性を確保できる貯蔵庫の扉密閉構造を提供することにある。
【０００９】
【課題を解決するための手段】
請求項１記載の発明は、断熱箱体の開口部に一側がヒンジで結合されて他側が開閉される開閉扉を備え、この開閉扉の内面周囲に断熱箱体側の戸当たり部に当接するパッキンを備え、このパッキンを圧縮変形させて開閉扉を閉じる構成とした貯蔵庫の扉密閉構造において、前記パッキンが塩化ビニル樹脂製の中空部材からなり、この中空部材の一部にほかの部分よりも戸当たり側への突出高さの低い部分で囲まれた略円柱状の空間を形成し、この空間に略円柱状の発泡ゴムを密に設けたことを特徴とするものである。
【００１０】
この発明によれば、塩化ビニル樹脂製の中空部材に形成された略円柱状の空間に略円柱状の発泡ゴムを密に設けたので、パッキンの圧縮後の伸張時に、高い弾性を有する発泡ゴムが経年変化しやすい中空部材を元の形状に押し出してパッキンの元の戸当たり部側への突出高さが確保され、パッキンによる開閉扉の高い気密性を長期に渡って維持できる。また、中空部材が複雑な成形を可能とする塩化ビニル樹脂で形成されているので、この中空部材にパッキンの着脱を容易化する構造を形成することが可能となり、パッキンの交換を容易化できる。また、発泡ゴムが略円柱状であるので、発泡ゴムの戸当たり部に対する接触が線接触となり、例えば直方体状の発泡ゴムよりも、高い弾性を発揮することができる。
【００１３】
【発明の実施の形態】
以下、本発明の一実施形態を図面に基づいて説明する。
【００１４】
図１において、符号１はコールドロールボックス等の物流用低温庫（貯蔵庫）を示している。この低温庫１は、例えば配送センタ内では電源に接続されて、この電源により、庫内の冷却、蓄冷剤の凍結、バッテリの充電が行われ、その後、例えば配送車に積載されて輸送されるときには、バッテリを電源として庫内の送風機を運転することにより蓄冷剤の冷気を庫内に循環させて庫内の冷却を行う。
【００１５】
この低温庫１は断熱箱体２を備え、この断熱箱体２の底面には当該低温庫１の移動を可能とするキャスタ３が設けられる。また断熱箱体２内には庫内（図１では図示せず）が形成され、この庫内の前面には開口部（図１では図示せず）が形成され、この開口部に一側がヒンジ４で結合されて他側が開閉される開閉扉５が設けられる。符号６は移動時に掴まれる把持部を示す。
【００１６】
開閉扉５には回転軸１１が設けられ、この回転軸１１の略中央にはラッチ１２及びラッチ受け１３が設けられる。ラッチ１２は回転軸１３に接続され、この回転軸１３は３個の軸固定部材１４によって開閉扉５に回転自在に固定されている。ラッチ１３の両端にはフック１５が設けられる。符号１６は断熱箱体２に形成された爪部を示す。開閉扉５を閉じる時には、ラッチ１２をラッチ受け１３側に回動させて回転軸１３を回転させてフック１５を爪部１６に係合させ、開閉扉５は断熱箱体２に向けて断熱箱体２に圧着される。
【００１７】
開閉扉５は、図２に示すように面材２０を備え、この面材２０内には発泡断熱材２１が充填される。開閉扉５の内面周囲には、他の部分よりも薄肉に形成された凹所２２が形成され、この凹所２２には庫内の冷熱が面材２０を介して庫外に伝達しないように熱切りを行うブレーカ２３が取り付けられる。このブレーカ２３の端部には係合凹部２４が形成され、この係合凹部２４にパッキン２５の係合凸部２６が挿入されて係止され、パッキン２５が開閉扉５の内面周囲に固定される。
【００１８】
本実施形態による扉密閉構造では、パッキン２５が塩化ビニル樹脂製の中空部材３１の中に高い弾性を有する発泡ゴム製の発泡ゴム部材３７が挿入されて形成されている。
【００１９】
パッキン２５は、塩化ビニル樹脂製の中空部材３１を備え、この中空部材３１は押し出し成形により形成される。この中空部材３１は前記係合凸部２６を有し、この係合凸部２６は、前述したように、前記ブレーカ２３の係合凹部２４に挿入されて嵌め込まれている。また、中空部材３１は当該中空部材３１を支持する支持板３２を有し、また、中空部材３１は庫内空間と庫外空間を仕切る仕切板３３を有する。符号３４は開閉扉５を閉じた時にパッキン２５が当接する戸当たり部である。
【００２０】
中空部材３１には、戸当たり部３４側に略円弧状に突出した一対の突出壁３５が形成され、この突出壁３５内には突出中空部３５ａが形成される。また一対の突出壁３５の間には円筒壁３６が形成され、この円筒壁３６内に形成された略円柱状の円柱状中空部３６ａ（円柱状の空間）には略円柱状の発泡ゴム部材３７が密に設けられ、この発泡ゴム部材３７は発泡ゴムで形成される。発泡ゴム部材３７は、円柱状中空部３６ａに対して挿入及び抜き出しが自在である。従って、発泡ゴム部材３７を弾性反力の異なる発泡ゴム部材に交換すれば、パッキン２５全体の弾性反力を容易に変更することができる。
【００２１】
開閉扉５が閉められてラッチ止めされると、突出壁３５が戸当たり部３４に当接して圧縮変形すると共に、円筒壁３６が戸当たり部３４によって押圧されて発泡ゴム部材３７が圧縮変形する。これにより、庫内空間と庫外空間との間に隙間がなくなり、庫内の気密性が確保される。そして、開閉扉５を開けられると、中空部材３１が自己の弾性反力と発泡ゴム部材３７の弾性反力とにより戸当たり部３４側へ押し出されて元の形状に復元し、また発泡ゴム部材３７が自己の弾性反力により元の形状に復元する。
【００２２】
本実施形態では、塩化ビニル樹脂製の中空部材３１に形成された円柱状中空部３６ａに発泡ゴム部材３７を密に設けたので、パッキン２５の圧縮後の伸張時に、高い弾性を有する発泡ゴム部材３７が経年変化しやすい塩化ビニル樹脂製の中空部材３１を元の形状に押し出してパッキン２５元の戸当たり部側への突出高さが確保され、パッキン２５による庫内の高い気密性を長期に渡って維持できる。
【００２３】
また、中空部材３１が複雑な成形を可能とする塩化ビニル樹脂で形成されているので、この中空部材３１にパッキン２５の着脱を容易化する構造を形成することが可能となり、例えば複雑な形状の成形が困難な発泡ゴムのみで形成されたパッキンに比べて、パッキン２５の交換を容易化できる。
【００２４】
また、発泡ゴム部材３７が略円柱状であるので、発泡ゴム部材３７の戸当たり部に対する接触が線接触となり、例えば直方体状の発泡ゴム部材３７よりも、高い弾性を発揮することができる。
【００２５】
以上、一実施形態に基づいて本発明を説明したが、本発明はこれに限定されるものではない。本実施形態では発泡ゴム部材３７が略円柱状であるが、例えば直方体形状でもよい。
【００２６】
【発明の効果】
請求項１記載の発明によれば、塩化ビニル樹脂製の中空部材に形成された空間に発泡ゴムを密に設けたので、パッキンの圧縮後の伸張時に、高い弾性を有する発泡ゴムが経年変化しやすい中空部材を元の形状に押し出して中空部材の元の戸当たり部側への突出高さが確保され、パッキンによる開閉扉の高い気密性を長期に渡って維持できる。また、中空部材が複雑な成形を可能とする塩化ビニル樹脂で形成されているので、この中空部材にパッキンの着脱を容易化する構造を形成することが可能となり、パッキンの交換を容易化できる。また、発泡ゴムが略円柱状であるので、発泡ゴムの戸当たり部に対する接触が線接触となり、例えば直方体状の発泡ゴムよりも、高い弾性を発揮することができる。
【図面の簡単な説明】
【図１】物流用の低温庫を示す斜視図である。
【図２】低温庫の開閉扉の周囲を示す断面図である。
【図３】従来の低温庫の開閉扉の周囲を示す断面図である。
【符号の説明】
１  低温庫
２  断熱箱体
４  ヒンジ
５  開閉扉
１２  ラッチ
２５  パッキン
３１  中空部材
３４  戸当たり部
３６ａ  円柱状空間
３７  発泡ゴム部材
【図１】
0003863683.tif 000002
【図２】
0003863683.tif 000003
【図３】
0003863683.tif 000004